(57)【要約】【課題】  遊技施設の係員が行う球抜き作業の作業性を悪化させることなく、球抜き装置に対する悪戯行為に対する抑止力を高めた球抜き装置を提供する。【解決手段】  遊技盤を保持する前枠の後方に遊技球の払出処理を行う球払出機構と、前枠前面側に開口する球抜き操作孔１３０に操作部材１８０を挿入して後方に押圧操作することでレバー部材１２２が水平面内で揺動して球払出機構に貯留された遊技球を球抜きし得る球抜き機構と、球抜き操作孔の開口部の後方に操作部材の挿入を許容する連通位置と操作部材の挿入を規制する遮蔽位置とに変位可能に設けられた遮蔽機構１０５と、遮蔽部材１５０が連通位置に配設されたことを検出する位置検出構造１７０と、位置検出構造により遮蔽部材が連通位置に配設されたことが検出されたときに警報作動を行う警報手段とを設けて弾球遊技機の球抜き装置を構成する。【選択図】  図７
2005288049.tif 000002
【特許請求の範囲】
【請求項１】
遊技盤を収容保持する前枠の後方に設けられ、遊技球を貯留する球貯留部およびこの球貯留部から供給された遊技球を入賞状態に応じて払い出す球払出装置を有する球貯留払出機構と、
前記球貯留部と前記球払出装置との間を結ぶ球通路に通路壁の一部を開閉可能に設けられた開閉弁部材、前記開閉弁部材に隣接して水平面内で前後に揺動可能に設けられ一側方のレバー部が後方に押圧されたときに前記開閉弁部材を閉止位置に係止する規制を解除する操作連繋部材、前記レバー部の前方に前記前枠を前後に貫通して形成され前記操作連繋部材を揺動操作する操作部材を遊技機の前面側に設けられた開口部から受容して挿通させる球抜き操作孔、および前記開閉弁部材の規制が解除されて前記通路壁の一部が開放されたときに当該開閉弁部材よりも上流側に位置する遊技球を機体の外部に排出させる球抜き通路を有してなる球抜き機構と、
前記開口部の後方に前記操作部材の挿入を許容する連通位置と前記操作部材の挿入を規制する遮蔽位置とに変位可能に設けられ前記遊技機の前方から変位操作可能な遮蔽部材、および前記遮蔽部材を前記遮蔽位置に付勢する付勢手段を有する遮蔽機構とを備え、
前記遮蔽部材を前記付勢手段による付勢力に抗して前記連通位置に変位させた状態で、前記開口部から前記球抜き操作孔に前記操作部材を挿通して前記開閉弁部材を開閉操作するように構成したことを特徴とする弾球遊技機の球抜き装置。
【請求項２】
前記遮蔽部材が前記連通位置に配設されたことを検出する連通位置検出手段と、
前記連通位置検出手段により前記遮蔽部材が前記連通位置に配設されたことが検出されたときに警報作動を行う警報手段とを備えたことを特徴とする請求項１に記載の弾球遊技機の球抜き装置。
【発明の詳細な説明】
【技術分野】
【０００１】
本発明は、球貯留部に貯留された遊技球を遊技機外部に排出させる球抜き装置に関し、なお詳細には、遊技者による不正な球抜き操作を抑制し得る弾球遊技機の球抜き装置に関する。
【背景技術】
【０００２】
遊技盤を収容保持する前枠の後方に、賞球として払い出す遊技球を貯留する球貯留部とこの球貯留部から供給された遊技球を入賞状態に応じて払い出す球払出装置とを有する球貯留払出機構を備えた弾球遊技機の代表例としてパチンコ機がある。パチンコ機では、球貯留払出機構に形成された球通路の清掃や構成部品の保守点検等のメンテナンス作業を行うため、またいわゆる打ち止めと称される定量制を採る場合に払出球数を一定化し、あるいは営業日あたりの各パチンコ機の払出数量を計数するため、球払出貯留機構に貯留された遊技球を機体外部に排出させる球抜き機構が設けられている。球抜き機構は、球貯留部と球払出装置との間を結ぶ球通路の途上に通路壁の一部を開閉する開閉弁部材を設け、この開閉弁部材を開放位置に切り換えたときに開閉弁部材よりも上流側に位置する遊技球が球抜き通路を介して機体の外部に排出されるように構成されている。
【０００３】
ここで、例えば打ち止め時の球抜き作業や、営業終了後に全台数の球抜き作業を行うようなときに、遊技島に閉鎖保持されたパチンコ機を逐一解錠および横開き開放して開閉弁部材を開放位置に切り換える操作を行わなければならないとすれば球抜き作業が繁雑である。またパチンコ機を開放した状態で球抜き作業を行うとすれば、機体から排出された遊技球を受け止める球貯留箱を別途準備する必要があるうえ、球貯留箱に排出された遊技球を遊技島の回収装置に流し込んで回収させる作業も必要になり作業の繁雑を免れない。
【０００４】
このため、球抜き機構は、パチンコ機が閉鎖施錠された状態でも機体の前面側から球抜き操作を行えるように構成されている。すなわち、パチンコ機の前面には閉鎖施錠された機体の前面側から球抜き機構を開閉操作可能な球抜き操作孔が設けられ、この球抜き操作孔にハートキーと称される細長い棒状の操作部材を挿入してレバー部材を押圧操作することで、開閉弁部材を閉止位置に係止保持するレバー部材を上下に揺動させて開閉弁部材の揺動規制を解除し、開閉弁部材を開放位置に変位させて球抜き作業を行えるように構成されている（例えば、特許文献１を参照）。
【特許文献１】特開２００３−１６４６２８号公報（第９〜１１頁、第１５〜２２図）
【発明の開示】
【発明が解決しようとする課題】
【０００５】
ところが、上記のような従来の球抜き機構では、開閉弁部材を閉止位置に係止保持するレバー部材が垂直面内で上下に揺動可能に枢着されており、遊技盤や収容枠等の構成により前枠後方の裏セット盤から側方に突出して配設せざるを得ない押圧操作部が上下揺動するレバー部材の上端から側方に突出して形成されていた。このため球抜き機構が上下左右に大型化し、裏セット盤の設計自由度を確保する見地からより小型に構成できる球抜き機構が望まれていた。
【０００６】
また従来の球抜き機構を備えたパチンコ機では、機体前面に開口する球抜き操作孔にハートキーに相当する細長い針金等を挿入して押圧すれば、それが遊技者による悪戯であっても球抜き可能になっている。このため、近年ではパチンコ遊技で賞球を獲得できなかった遊技者が、負けた腹いせに球抜き孔に針金を挿入して球抜き操作を行い、パチンコ機を球抜き状態にして遊技施設を退場するという悪戯行為が発生している。
【０００７】
このような悪戯行為が行われると、次にそのパチンコ機で遊技を開始した遊技者がパチンコ遊技で入賞しても、球貯留払出機構に払い出すべき遊技球が無い球切れ状態の発生、または球払出装置よりも上流側からの遊技球の流出によって賞球の払い出しが行われず、当該遊技者に不利益、不快感を与えるという問題があり、特にその入賞状態がいわゆる大当たりであったような場合には、不測の不利益を被った遊技者が遊技施設の係員や周囲の遊技者とトラブルを引き起こすことがあるという問題があった。
【０００８】
さらに、このように遊技施設が本来予定しない球抜きが行われると、ホールコンピュータで管理している各パチンコ機ごとの遊技球集計値に異常をきたすばかりでなく、パチンコ機からの球切れ信号に応じて遊技球を供給する遊技島側の遊技球自動供給装置が連続して作動状態になり、その連続動作時間によっては駆動モータの過熱等により遊技球自動供給装置や遊技島の関連装置を破損させてしまうおそれがあるという問題もあった。
【０００９】
本発明は上記のような事情に鑑みてなされたものであり、遊技施設の係員が行う球抜き作業の作業性を悪化させることなく、遊技者の悪戯行為に対する抑止力を高めた小型の球抜き装置を提供することを目的とし、併せて悪戯行為を早期に検知して迅速な対応が可能な球抜き装置を提供することを目的とする。
【課題を解決するための手段】
【００１０】
上記目的達成のため、本発明は、遊技球を貯留する球貯留部およびこの球貯留部から供給された遊技球を入賞状態に応じて払い出す球払出装置を有して前枠の後方に設けられた球貯留払出機構と、遊技機の前面側に形成された球抜き操作孔に操作部材（例えば、実施形態におけるハートキー１８０）を挿入して後方に押圧操作することで球貯留部と球払出装置との間を結ぶ球通路の通路壁の一部を開放させて球貯留払出機構に貯留された遊技球を機体の外部に排出させる球抜き機構と、球抜き操作孔の開口部の後方に操作部材の挿入を許容する連通位置と操作部材の挿入を規制する遮蔽位置とに変位可能に設けられ遊技機の前方から変位操作可能な遮蔽部材および遮蔽部材を遮蔽位置に付勢する付勢手段を有する遮蔽機構とを備え、上記遮蔽部材を付勢手段による付勢力に抗して連通位置に変位させた状態で、開口部から球抜き操作孔に操作部材を挿通して開閉弁部材を開閉操作するように弾球遊技機の球抜き装置を構成する。
【００１１】
なお球抜き機構は、球貯留部と球払出装置との間を結ぶ球通路に通路壁の一部を開閉可能に設けられた開閉弁部材と、この開閉弁部材に隣接して水平面内で前後に揺動可能に設けられ一側方のレバー部が後方に押圧されたときに開閉弁部材を閉止位置に係止する規制を解除する操作連繋部材と、操作連繋部材におけるレバー部の前方に前枠を前後に貫通して形成され操作連繋部材を揺動操作する操作部材を遊技機の前面側に設けられた開口部から受容して挿通させる球抜き操作孔と、開閉弁部材の規制が解除されて通路壁の一部が開放されたときに当該開閉弁部材よりも上流側に位置する遊技球を機体の外部に排出させる球抜き通路とを有して構成される。
【００１２】
また上記球抜き装置に、遮蔽部材が連通位置に配設されたことを検出する連通位置検出手段（例えば、実施形態における位置検出センサ１７１）と、連通位置検出手段により遮蔽部材が連通位置に配設されたことが検出されたときに警報作動を行う警報手段（例えば、実施形態における主制御装置８１、スピーカ１３、表示ランプ１６等）とを設けて球抜き装置を構成する。
【発明の効果】
【００１３】
本発明に係る球抜き装置では、常には開閉弁部材を閉止位置に係止し、操作部材により一側方のレバー部が後方に押圧されたときに閉止位置に係止する規制を解除する操作連繋部材が、開閉弁部材に隣接して水平面内で前後に揺動可能に設けられて球抜き機構が構成される。このため、例えば前述した従来の球抜き機構のように上下方向に揺動する形態の操作連繋部材（レバー部材）を用いた場合に比べて、略同一寸法の左右幅で上下方向の高さ寸法を抑制した小型の球抜き装置を得ることができる。
【００１４】
また本発明の球抜き装置では、遊技機の前面側に開口する球抜き操作孔の開口部の後方に、操作部材の挿入を許容する連通位置と操作部材の挿入を規制する遮蔽位置とに変位可能な遮蔽部材が設けられ、常には付勢手段により付勢されて遮蔽位置に配設される。このため、遊技者が単に球抜き操作孔の開口部に針金等を挿入しても、開口部の後方で遮蔽部材に突き当たってそれ以上針金を挿通させることができず、簡単には悪戯操作を行うことができない。一方、遮蔽部材は遊技機の前方から変位操作可能になっており、球抜き作業を行うときに遮蔽部材を付勢手段の付勢力に抗して遮蔽位置から連通位置に変位させることで、球抜き操作孔が操作部材の挿入を許容する連通状態となり、この状態で開口部から球抜き操作孔に操作部材を挿通して開閉弁部材を開閉操作可能に構成される。このため、遊技施設の係員は、遮蔽部材を連通位置に変位させて操作部材を押圧操作することで、遊技機の閉鎖施錠状態を開放することなく遊技機の前面側から球抜き操作を行うことができる。他方、悪戯操作を行おうとする遊技者にとっては、両手操作の煩雑さや不自然な挙動を伴うことから大きな抵抗感を惹起させることができる。
【００１５】
さらに、連通位置検出手段と警報手段とを設けて球抜き装置を構成することにより、遮蔽部材が連通位置に配設されると連通位置検出手段によりその状態が検出され、警報手段により所定の警報作動が行われる。ここで、本明細書における「警報作動」とは、遊技機のスピーカやランプ等を用いて警報を行う作動、球払出装置や遊技球発射装置の動作を規制する作動、遊技島のランプやホールコンピュータの表示装置を用いて警報を行う作動、ホールコンピュータを介して遊技施設の係員が携帯するインカムに通報する作動などを含めた作動を意味する。このため、遊技施設の係員や管理者は、このような警報作動により当該パチンコ機が球抜き操作され得る状態になったことを早期に検知することができ、状況に応じて迅速かつ適切な対応をとることができる。
【００１６】
従って本発明によれば、遊技施設の係員が行う球抜き作業の作業性を悪化させることなく、遊技者の悪戯行為に対する抑止力を高めた小型の球抜き装置を提供することができ、また悪戯行為を早期に検知して迅速な対応が可能な球抜き装置を提供することができる。
【発明を実施するための最良の形態】
【００１７】
以下、本発明を実施するための形態について、添付図面を参照しながら説明する。本発明に係る球抜き装置を備えた弾球遊技機の一例として、図１および図２にそれぞれパチンコ機の正面図および背面図を示しており、まずこれらの図面を参照してパチンコ機ＰＭの全体構成について要約説明する。なお図１では球抜き装置の配設位置を明示するためガラス扉５および上球皿６を開放した状態で示している。
【００１８】
パチンコ機ＰＭは、外郭方形枠サイズに構成されて遊技島に固定される固定保持用の外枠１の開口前面に、これに合わせた方形枠サイズに形成された開閉搭載用の前枠２が互いの正面左側上下に設けられたヒンジ機構３ａ，３ｂにより横開き開閉および着脱が可能に取り付けられ、正面右側に設けられたダブル錠と称される施錠装置４を利用して常には外枠１と係合された閉鎖状態に保持される。
【００１９】
前枠２の前面側には、前枠２の前側面域に合わせた方形状のガラス扉５および上球皿６が正面左側部に設けられたヒンジ機構７ａ，７ｂ，７ｃによりそれぞれ横開き開閉および着脱が可能に組付けられ、正面右側に設けられた施錠装置４および球皿施錠装置を利用して常には前枠２の前面を覆う閉止状態に施錠保持される。上球皿６の下側には下球皿８および発射ハンドル９が取り付けられ、前枠２の裏面側には遊技球発射装置１０が装備されている。
【００２０】
ガラス扉５の背後に位置する前枠２の上部には、遊技盤の外形寸法に合わせた額縁状の収容枠２ａが前枠２に一体に形成されており、この収容枠２ａに所定のゲージ設定で構成された遊技盤２０が着脱可能にセット保持され、前方を覆って閉鎖保持されるガラス扉５の透明ガラスを通して遊技領域ＰＡを視認可能に配設される。また前枠２の上部には遊技盤２０を囲むように複数の表示ランプ１６が設けられており、ガラス扉５の枠部に設けられたランプ飾りを透過させて光による演出が可能になっている。
【００２１】
遊技盤２０は所定板厚の積層合板にセルを貼り付けた化粧板２１を基板とし、その前面側に内外の案内レール２２に囲まれて略円形の遊技領域ＰＡが区画形成され、この遊技領域ＰＡに多数本の遊技釘とともに、風車、各種の入賞具２３、画像表示装置２４などが取り付けられ、遊技領域ＰＡの下端には入賞具２３に落入せずにこの領域を落下した遊技球を化粧板２１の背面側に排出させるアウト口２５が形成されている。遊技盤２０の前面側には遊技の展開状況に応じて効果照明を行う各種の表示ランプ２６が設けられ、裏面側には各入賞具２３に落入して化粧板２１の裏面側に導出された遊技球およびアウト口２５を通って化粧板２１の裏面側に排出された遊技球（これらをまとめて「遊技済み球」という。）を次述する裏セット盤３０の遊技済み球排出通路に導く球寄せカバー２９が取り付けられている。
【００２２】
上球皿６の背後に位置する前枠２の上下中間部には、遊技補助盤と称される補助機構部が形成されており、遊技球発射装置１０のハンマに叩打された遊技球を遊技盤２０の案内レールに導く発射レール１１、遊技領域ＰＡに到達できずに戻ってきたファール球を回収して下球皿８に流下させるファール球回収通路１２、遊技の展開状況に応じた効果音を発生するスピーカ１３などが設けられている。
【００２３】
一方、前枠２の後面側には、裏セット盤３０が後方に横開き開閉および着脱可能に取り付けられ、常には遊技盤２０の背面を覆う閉止状態に保持される。裏セット盤３０は、中央部に遊技盤２０の画像制御装置を受容する窓口３２を有して外枠１の内寸サイズよりも幾分小さめに形成された基枠体３１をベースとして構成される。基枠体３１は、表裏に球通路が形成された前後二層構造になっており、基枠体３１を前後に仕切る支持面３１ａ（図３を参照）の前面側に主として遊技盤２０から排出された遊技済み球を遊技島の回収装置に導く遊技済み球排出通路および球抜き通路が形成され、支持面３１ａの後面側に主として遊技球を払い出す球貯留払出機構４０が設けられている。
【００２４】
球貯留払出機構４０は、基枠体３１の左上部に取り付けられて遊技島の遊技球自動供給装置から供給された遊技球を貯留保持する球貯留タンク４１、球貯留タンク４１の下側に右傾する傾斜姿勢で取り付けられ球貯留タンク４１から供給された遊技球を流下させる過程で前後２列に整列させる整列樋部材４２、整列樋部材４２と球払出装置４５との間を結んで基枠体の右枠杆（背面視における窓口３２右側の枠杆部）３３に設けられ整列樋部材４２から供給された遊技球を前後２列の整列状態で待機通路に待機させる待機通路部材４４、待機通路に待機された遊技球を入賞状態等に応じて払い出す球払出装置４５、球払出装置４５の下方に設けられて球払出装置から払い出された遊技球を上下の球皿６，８に導く球払出通路４６、待機通路部材４４の後方を覆う蓋部材４９などから構成される。
【００２５】
また基枠体３１の背面各部には、パチンコ機ＰＭの作動を統括的に制御する主制御装置８１、遊技盤２０からの入賞検出信号やＣＲ機における球貸し操作パネルからの球貸し要求信号に基づいてこれらの信号に応じた払出指令信号を出力し球払出装置４５の作動を制御する球払出制御装置８２、遊技の展開状況に応じて前枠２に設けられた表示ランプ１６やスピーカ１３および遊技盤２０に設けられた表示ランプ２６等の作動を制御するランプ・音声制御装置８３、各制御装置や電子部品に電力を供給する電源ユニット８４、遊技施設側の装置と信号や電力の入出力を行う外部中継端子基板８５などの各種制御装置や回路基板、球切れ検出スイッチ等の電子部品が取り付けられ、これらが図示しないコネクタケーブルで接続されてパチンコ機ＰＭが作動可能に構成される。
【００２６】
パチンコ機ＰＭは、上球皿６およびガラス扉５が閉止され施錠保持された状態で遊技に供され、上球皿６に遊技球を貯留させて発射ハンドル９を回動操作することにより遊技が開始される。発射ハンドル９が回動操作されると、上球皿６に貯留された遊技球が上球皿６の背面に装備された球送り装置によって１球ずつ発射レール１１に送り出され、遊技球発射装置１０により遊技領域ＰＡに打ち出されてパチンコゲームが展開される。
【００２７】
このように概要構成されるパチンコ機ＰＭにあって、裏セット盤３０における右枠杆３３の上部に開閉弁部材１１０、操作連繋部材１２０、球抜き操作孔１３０、球抜き通路１４０などからなる球抜き機構１０１が設けられ、ガラス扉５の背後に位置する前枠２の前面側に遮蔽部材１５０、遮蔽部材１５０を連通位置に付勢する付勢バネ１６０、遮蔽部材の位置を検出する位置検出構造１７０などからなる遮蔽機構１０５が設けられて、球貯留払出機構４０に貯留された遊技球をパチンコ機ＰＭの正面から球抜き操作可能な球抜き装置１００が構成される。
【００２８】
以下では、まず図３〜図６を参照して右枠杆３３に設けられた球抜き機構１０１について説明し、続いて図７〜図１１の各図を参照しながら遮蔽機構１０５を含む球抜き装置１００について説明する。なお、図３は待機通路部材４４の後方を覆う蓋部材４９を取り外した状態で右枠杆３３の上部を斜め後方から見た斜視図、図４は閉止位置にある球抜き機構を主として示す右枠杆３３の背面図、図５は開放位置にある球抜き機構を主として示す右枠杆上部の背面図、図６は図４中のVI−VI矢視方向の側面図（部分断面図）である。
【００２９】
球抜き機構１０１は、待機通路部材４４と隣接する支持面３１ａの後面側に支持面と平行な面内に揺動可能に枢支され待機通路の通路壁の一部を開閉可能な開閉弁部材１１０と、右枠杆３３の側部に水平面内で前後に揺動可能に取り付けられ操作部材による開閉操作を連繋する操作連繋部材１２０と、操作連繋部材１２０を介して開閉弁部材１１０を開閉操作する操作部材をパチンコ機の前面側に設けられた開口部から受容して挿通させる球抜き操作孔１３０（１３１，１３２）と、開閉弁部材１１０が開放位置に切り換えられたときに開閉弁部材よりも上流側に位置する遊技球を流下させ基枠体の下端に形成された球排出口から機体外部に排出させる球抜き通路１４０などから構成される。
【００３０】
待機通路部材４４は、前後を仕切る仕切壁の前後両面に遊技球の球径よりも幾分大きめの間隔をおいて左右平行に立設された通路壁４４Ｌ，４４Ｒを有し、それぞれ通路壁４４Ｌ，４４Ｒで囲まれた各一列の通路溝が形成されている。このうち背面視右側の通路壁４４Ｒは上方の一部が切り欠かれており、常には閉止位置にある開閉弁部材１１０の揺動通路壁１１０Ｒにより閉鎖されて連続した通路溝が形成される。待機通路部材４４は通路溝の清掃容易化等のため基枠体３１と別体に形成されており、支持面３１ａに立設された支持ボス３４に嵌挿して支持させ、後方から蓋部材４９をねじ固定することにより右枠杆３３に取り付けられる。
【００３１】
待機通路部材４４が右枠杆３３に取り付けられると、通路溝の開放部が前方の支持面３１ａと後方の蓋部材４９とに覆われて仕切壁の前後に各一列の待機通路４４ａ，４４ｂが形成される（図３〜図５では後列側の待機通路４４ｂのみが現れている）。待機通路４４ａ，４４ｂは全体としてＳ字状に屈曲して形成されるとともに、切り欠き部は球圧が作用する屈曲部の外側壁面に形成されており、上流側に停留された遊技球の自重による押圧力が下流側で過大な圧力にならないように分散させるとともに、切り欠き部が開放されたときに遊技球が滑らかに流出するようになっている。
【００３２】
開閉弁部材１１０は、本体の左側部に形成された円筒状の支軸孔１１２、支軸孔１１２の下側に位置して通路壁４４Ｒの切り欠き部に相当する壁面が形成された揺動通路壁１１０Ｒ、支軸孔１１２の斜め上方に本体部から右方に突出して形成されたアーム部１１３などから構成される。アーム部１１３の上面には、揺動通路壁１１０Ｒが切り欠き部を閉止する閉止位置において操作連繋部材１２０の係止突起１２３と係合し得る閉止保持係合辺１１３ａが形成され、アーム部１１３の右側部には、揺動通路壁１１０Ｒが切り欠き部を開放する開放位置において係止突起１２３と係合し得る開放保持係合部１１３ｂが形成されている。開閉弁部材１１０は、支軸孔１１２を右枠杆の支持面３１ａに立設された枢支軸３５に嵌挿することで支持面３１ａと平行な面内で揺動可能に支持され、その後方から蓋部材４９をねじ固定することにより、上述した待機通路部材４４とともに右枠杆３３に取り付けられる。
【００３３】
操作連繋部材１２０は、右枠杆３３にネジ固定される固定金具１２１と、この固定金具１２１に水平面内で前後に揺動可能に枢支されるレバー部材１２２、レバー部材１２２を固定金具１２１に枢結する枢結ピン１２５、枢結ピンにより枢支されたレバー部材１２２を平面視において反時計廻りに付勢する付勢バネ１２４などから構成される。
【００３４】
固定金具１２１は、左右平行に前方に延びる平面視コの字状の固定ブラケット部と、上下平行に後方に延びる側面視コの字状の支持ブラケット部とからなり、固定ブラケット部の右側の側面にはサラコネジを受容するサラ孔形態のネジ受容孔１２１ｂ、左側の側面角部には付勢バネ１２４を受容する切り欠き部１２１ｃ、両者の間を繋ぐ後面には右枠杆側の位置決め突起３６ｄを受容する突起受容孔１２１ｄが形成され、支持ブラケット部の上方のフランジ部には枢結ピン１２５を挿通させるピン挿通孔１２１ｅ、下方のフランジ部には枢結ピン１２５の先端のネジ部と螺合するネジ孔１２１ｆがそれぞれ形成されている。固定金具１２１は、例えば板厚1.2〜2.3mm程度の鋼板を打ち抜きおよび曲げ成形して図示する形状に形成し所要の表面処理を施して構成される。
【００３５】
レバー部材１２２は、左右中央の上部および下部に枢結ピン１２５の軸径に合わせた軸支部１２２ａ，１２２ａが蝶番状にカーリング成型され、この軸支部から右方に延びてレバー部１２２ｂ、上下の軸支部の中間部が軸支部と反対方向に曲げ成型されたうえ左方に延出されて係止アーム部１２２ｃが形成されている。レバー部１２２ｂの前面側には、操作連繋部材１２０の取り付け姿勢において前枠側の球抜き操作孔１３２と位置整合し、ハートキー１８０の前端部を受容して係合状態を保持するディンプル状の受容凹部１２２ｄが形成されている（図５および図１０を参照）。係止アーム部１２２ｃの先端はクランク状に屈曲されて右枠杆の補助支持面３１ｂと係脱可能な揺動規制片１２２ｅが形成され、その基端側に先端半球のピン状の係止突起１２３が後方に突出してカシメ固着されている。レバー部材１２２は、固定金具１２１と同様の金属材料を用いて同様の加工手段により形成される。
【００３６】
付勢バネ１２４は、枢結ピン１２５により枢支されたレバー部材１２２を平面視における反時計廻り（係止突起１２３が後方に揺動する方向）に付勢する付勢手段であり、各図には、薄片帯板状のバネ鋼を係止レバー部１２２ｃの形状に合わせて打ち抜きおよび曲げ成形した板バネ状の構成形態を例示する。なお捻りバネやコイルバネを用いて構成してもよい。
【００３７】
一方、右枠杆３３には、操作連繋部材１２０を取着する連繋部材取着部３６が設けられている。連繋部材取着部３６には、支持面３１ａの一部が後方に膨出成型された補助支持面３１ｂから背面視右側方の壁面（右側壁という）にかけて開口する取着開口３６ａが切り欠き形成され、右側壁の外側に固定金具におけるネジ挿通孔１２１ｂと整合して形成された円筒状のネジ受け座３６ｂ、右側壁の内側に固定金具における固定ブラケット部の内面間隔および付勢バネ１２４の高さ位置に合わせて立設された上下の支持リブ３６ｃ、右側壁の後端縁面に固定金具における突起受容孔１２１ｄと整合して後方に突出成型された位置決め突起３６ｄなどが設けられている。
【００３８】
固定ブラケット１２１は、固定ブラケット部を右壁面を挟み込むように取着開口３６ａから装着してネジ受け座３６ｂおよび支持リブ３６ｃを挟持させ、位置決め突起３６ｄに突起受容孔１２１ｄを嵌合させることで位置決めされ、ネジ挿通孔１２１ｂを通してネジ受け座３６ｂにサラコネジをねじ込むことで連繋部材取着部３６に固定される。次いで付勢バネ１２４をレバー部材１２２の上下の軸支部１２２ａ，１２２ａの間に配置し、付勢バネ１２４の基端側を固定金具の切り欠き部１２１ｃに挿入するとともに係止アーム部１２２ｃの先端側を取着開口３６ａに斜めに挿入し、軸支部１２２ａ，１２２ａを固定金具における支持ブラケット部の上下のフランジ間に配設する。そして上方からピン挿通孔１２１ｅおよび上下の軸支部１２１ａ，１２１ａを通して枢結ピン１２５を嵌入し、下方のフランジ部のネジ孔１２１ｆに螺合締結する。
【００３９】
これにより、レバー部材１２２が枢結ピン１２５の軸廻りに水平面内で前後に揺動可能に枢支されるとともに、付勢バネ１２４のバネ力によって係止アーム部１２２ｃが後方に付勢され、常には係止アーム部先端の揺動規制片１２２ｅが開口左縁の補助支持面と係合して係止突起１２３が取着開口３６ａから後方に突出する角度位置に配設される。
【００４０】
係止突起１２３の突出位置は、開閉弁部材１１０における閉止保持係合辺１１３ａおよび開放保持係合部１１３ｂとの相対関係において、揺動通路壁１１０Ｒが待機通路部材４４の切り欠き部を閉止する閉止位置で係止突起１２３が閉止保持係合辺１１３ａと係合して開閉弁部材１１０を閉止位置に係止保持し、揺動通路壁１１０Ｒが切り欠き部を開放する開放位置で係止突起１２３が開放保持係合部１１３ｂと係合して開閉弁部材１１０を開放位置に係止保持し得るように設定されている。
【００４１】
球抜き操作孔１３０（１３１，１３２）は、ガラス扉５および裏セット盤３０を前枠２に閉止させた状態で、操作連繋部材１２０のレバー部に形成された受容凹部１２２ｄと対峙する前方の整合位置に、ガラス扉５および前枠２を前後に貫通して形成されており、後述する遮蔽部材１５０を連通位置に配設したときに、ガラス扉側の球抜き操作孔１３１と前枠側の球抜き操作孔１３２とが連通状態になって一連の球抜き操作孔１３０を形成し、ハートキー１８０を挿通可能になっている（図７を併せて参照）。このため、遊技状態でパチンコ機ＰＭの前面側から球抜き操作孔１３０にハートキー１８０を挿入して先端部を受容凹部１２２ｄに係合させ、受容凹部のディンプル形態により係合が外れることなくレバー部１２２ｂを後方に押圧操作できるようになっている。なお外枠１にはレバー部１２２ｂの揺動軌跡に応じた切り欠き部１ａが形成されており、レバー部１２２ｂが押圧操作されたときに外枠１と干渉しないようになっている（図９および図１０を参照）。
【００４２】
また球抜き通路１４０は、待機通路部材４４の右側方に位置して支持面３１ａの後面側に形成された予備通路１４０ａ、予備通路の下部に支持面３１ａを前後に貫通して形成された連絡開口１４０ｂ、および支持面３１ａの前面側に下方に延びて形成された下降通路などからなり、下降通路の下端部が遊技盤２０から排出された遊技済み球を集合させる遊技済み球排出通路に合流して、基枠体３１の下端に形成された球排出口に繋がっている。
【００４３】
このような球抜き機構１０１では、通常の遊技状態、すなわち前枠２やガラス扉５、裏セット盤３０等が閉止保持され、操作連繋部材１２０の係止突起１２３が開閉弁部材の閉止保持係合辺１１３ａと係合した状態において、揺動通路壁１１０Ｒが待機通路部材４４の切り欠き部を塞いで待機通路４４ａ，４４ｂの通路壁を構成し、整列樋部材４２から供給された遊技球が待機通路４４ａ，４４ｂを通って球払出装置４５に導かれる。開閉弁部材１１０は係止突起１２３との係合によりアーム部１１３が押さえられて自由な揺動が規制され、待機通路部材４４の切り欠き部を塞ぐ閉止位置に係止保持される。
【００４４】
一方、操作連繋部材のレバー部１２２ｂがハートキー１８０により後方に押圧され、付勢バネ１２４のバネ力に抗してレバー部１２２ｂが後方に揺動されると、係止突起１２３が補助支持面３１ｂよりも前方に揺動待避して係止突起１２３と閉止保持係合辺１１３ａとの係合が解除され、それまで規制されていた開閉弁部材１１０の揺動規制が解除される。待機通路４４ａ，４４ｂに遊技球が貯留された状態では、揺動通路壁１１０Ｒは待機通路４４ａ，４４ｂ内に保持された遊技球の圧力を受けており、揺動規制が解除されると、この圧力によって開閉弁部材１１０が枢支軸３５を中心として反時計まわりに揺動され、揺動通路壁１１０Ｒが待機通路部材４４の切り欠き部を開放する開放位置に変位する。そして、このように一旦開閉弁部材１１０が開放位置に変位すると、切り欠き部から次々に溢れ出る遊技球に押圧されて揺動通路壁１１０Ｒが揺動変位した状態が継続され、通過する遊技球がなくなるまで開放状態が保持される。
【００４５】
ここで、開閉弁部材１１０が開放位置に変位した状態では、左方に変位した閉止保持係合辺１１３ａに代わって開放保持係合部１１３ｂが係止突起１２３の左前方に位置する。そこで、開閉弁部材１１０が開放位置に変位した状態でレバー部１２２ｂへの押圧力を解除すると、付勢バネ１２４のバネ力によりレバー部１２２ｂが前方に、係止アーム部１２２ｃが後方に揺動して係止突起１２３が取着開口３６ａから後方に突出し、開放保持係合部１１３ｂと係合して開閉弁部材１１０を開放位置に係止する。このためレバー部１２２ｂを常時押圧していなくとも、開閉弁部材１１０を開放位置に切り替えた状態で保持させることができる（図５を参照）。
【００４６】
従って、例えば球貯留タンク４１に貯留する遊技球を全量球抜きするような場合には、前枠２およびガラス扉５を閉鎖した状態のままハートキー１８０を用いてパチンコ機ＰＭの前面側からレバー部１２２ｂを揺動操作することができ、機体の前方からハートキー１８０をワンプッシュする簡単な操作だけで開閉弁部材１１０を閉止位置から開放位置に切り替えて開閉弁部材１１０よりも上流側に貯留された遊技球を球抜き通路１４０に導き、継続して球抜きを行わせることができる。
【００４７】
また、球抜きが完了し、待機通路の上部に遊技球がなくなったときには、球抜き操作と同様にレバー部１２２ｂを前方からワンプッシュして係止突起１２３と開放保持係合部１１３ｂとの係合を解除し、係止突起１２３による揺動規制を解除する。すると、既に遊技球からの押圧力が解除された開閉弁部材１１０は、その重心位置に対する支軸孔１１２の形成位置の関係により自重で時計廻りに揺動し、揺動通路壁１１０Ｒが待機通路部材４４の切り欠き部を塞ぐ閉止位置に変位する。そして、レバー部１２２への押圧力を解除してハートキー１８０を引き抜くと係止突起１２３が後方に突出して閉止保持係合辺１１３ａと係合し、開閉弁部材１１０が閉止位置に係止保持される。これにより待機通路部材４４の切り欠き部が揺動通路壁１１０Ｒにより閉止保持され、待機通路４４ａ，４４ｂに流入した遊技球が球払出装置４５に導かれる通常の遊技状態に復帰する。
【００４８】
このように構成される球抜き機構１０１では、開閉弁部材１１０の開閉操作を行うレバー部材１２２が枢結ピン１２５を挟んで左右方向に形成され水平面内で前後に揺動可能に配設されている。このため、遊技盤や収容枠等の構成により一般的に右枠杆３３から右方に突出して配設せざるを得ないレバー部材を鉛直面内で上下に揺動させて開閉操作する形態の球抜き機構に比べて、略同一寸法の左右方向幅内で上下方向の高さ寸法を抑制した小型の球抜き機構を提供することができる。
【００４９】
さて、以上のように構成される球抜き機構１０１に対して、ガラス扉５の背後に位置する前枠２の前面側に遮蔽機構１０５が設けられている。以下、図７〜図１１の各図を参照しながら遮蔽機構１０５について説明する。なお、図７は前枠２の左上部を斜め前方から見た遮蔽機構１０５の分解斜視図、図８はガラス扉５を開放した状態で連通位置にある遮蔽機構１０５を主として示す正面図、図９は図８中のIX−IX矢視方向の平断面図、図１０はハートキーによりレバー部材が揺動変位された状態を示す平断面図、図１１は遮蔽機構１０５に設けられた位置検出構造１７０を主として示す平断面図である。
【００５０】
遮蔽機構１０５は、ガラス扉５の背後に位置する前枠２の前面側に上下にスライド変位可能に取り付けられた遮蔽部材１５０と、この遮蔽部材１５０を常時上方に付勢する付勢バネ１６０、遮蔽部材１５０の位置を検出する位置検出構造１７０などから構成される。
【００５１】
遮蔽部材１５０は、上下に延びる平断面視Ｌ字状の昇降杆１５１と、この昇降杆１５１に形成された上下のガイド孔１５２，１５２、昇降杆１５１の下部に屈曲成形されたタブ状のシャッタ片１５３、上下のガイド孔の間に前方に切り起こし成型された掛止フック１５４、昇降杆１５１の上端に前方に屈曲成形された押圧操作部１５５、昇降杆１５１から右側方に延出されるとともに前方にクランク状に屈曲成形されたアーム支持部１５６などからなり、例えば板厚1.0〜1.6mm程度の鋼板を打ち抜きおよび曲げ成形し所要の表面処理を施して形成される。
【００５２】
上下のガイド孔１５２は、前枠２の前面側に形成されたガイド突起２ｂの直径よりもわずかに大きめの溝幅で上下に長い長孔状に形成されており、その上下方向の寸法は、前後の球抜き操作孔１３１，１３２をシャッタ片１５３により連通、および遮断状態に切り替え得る所定のストローク、具体的にはハートキー１８０の直径よりも幾分大きく設定されている。すなわち上下のガイド孔１５２は、これらのガイド孔をガイド突起２ｂに係合させて取り付けたときに、遮蔽部材１５０を上下方向にのみスライド変位するようガイドし、また上記所定のスライド範囲を超えて移動しないように規制する機能を備えている。ガイド突起２ｂの中心にはネジ１６２を螺着するネジ穴が形成されている。
【００５３】
シャッタ片１５３は、球抜き操作孔１３２を遮蔽しまたは開放するための開閉板であり、ガイド孔１５２をガイド突起２ｂに係合させて遮蔽部材１５０を下方にスライドさせたときにスライド範囲の下端位置でシャッタ片１５３が球抜き操作孔１３２の下方に位置して前後の球抜き操作孔１３１，１３２を連通状態とする一方、この連通位置から遮蔽部材１５０を上方にスライドさせたときには、シャッタ片１５３が上方に変位して球抜き操作孔１３２の前面を遮蔽し、前後の球抜き操作孔１３１，１３２を遮断状態にするように位置および形状寸法が設定されている。
【００５４】
付勢バネ１６０は、コイルスプリングの両端に目玉状のフック部が形成された引っ張りバネであり、所定の初期張力を保持して張り渡されるように設定されている。また掛止フック１５４は付勢バネ１６０のフック部を掛止し得るように前方に切り起こし成型されている。なお圧縮型のコイルスプリングや捻りバネ、板バネ等を用いて昇降杆１５１を付勢するように構成してもよく、またリンク機構等を介して昇降杆１５１を付勢するように構成してもよい。
【００５５】
そして、上下のガイド孔１５２，１５２をガイド突起２ｂ，２ｂに係合させて遮蔽部材１５０を支持させ、上下のネジ１６２に平座金を挿通させるとともに上方のネジに付勢バネ１６０の一方のフック部を挿通させて各ガイド突起２ｂのネジ孔に螺合締結し、付勢バネ１６０の他方のフック部を掛止フック１５４に掛け止めることで遮蔽部材１５０が前枠２の前面側に取り付けられる。これにより遮蔽部材１５０は、シャッタ片１５３が球抜き操作孔１３２の下方に位置してハートキー１８０を挿通させる連通位置と、シャッタ片１５３が球抜き操作孔１３２の前方に位置して球抜き操作孔１３２を遮蔽する遮蔽位置との間で上下にスライド変位可能に支持され、常には付勢バネ１６０のバネ力により上方に付勢されて球抜き操作孔１３２を塞ぐ遮蔽位置に配設される。
【００５６】
また遮蔽部材１５０におけるアーム支持部１５６には、舌片状のレバーアーム１５７が上下に揺動可能に枢結され、アーム支持部１５６の後面側に設けられた捻りバネ１５８によって常時下向き（正面視において時計廻り）に付勢されている。また押圧操作部１５５はヒンジ金具３ａの前方に位置してガラス扉５に切り欠き形成された操作開口部に受容されるようになっており、ガラス扉５を閉鎖施錠した状態でパチンコ機ＰＭの前面側上方から押圧操作可能になっている。
【００５７】
一方、アーム支持部１５６の後方に位置する前枠２の前面上部には位置検出構造１７０が設けられている。位置検出構造１７０は、レバーアーム１５７の先端部の揺動軌跡上に位置してレバーアーム１５７の揺動角度位置を検出する位置検出センサ１７１と、この位置検出センサ１７１と隣接してレバーアーム１５７の下端面と係合可能に突出成形されたアーム係合突起１７２とから構成される。
【００５８】
位置検出センサ１７１は、この検出センサの前方にレバーアーム１５７が位置するか否かを検出すことでレバーアーム１５７を介して遮蔽部材１５０の高さ位置を検出する検出器であり、例えば図示するリミットスイッチ形態の検出器の他、近接スイッチやフォトインタラプタ等の検出器を用いることができる。位置検出センサ１７１の検出信号は主制御装置８１に入力されている。
【００５９】
アーム係合突起１７２は、捻りバネ１５８により常時時計廻りに付勢されたレバーアーム１５７の下端面と係合してレバーアーム１５７を下側から支え、遮蔽部材１５０の高さ位置に応じた揺動角度位置にレバーアーム１５７を支持する。アーム係合突起１７２の高さ位置は、シャッタ片１５３が球抜き操作孔１３２を遮蔽する遮蔽位置において、レバーアーム１５７の先端部が位置検出センサ１７１の直前に位置するように設定される。このため、位置検出センサ１７１はレバーアーム１５７を検出することで、このレバーアームを介して遮蔽部材１５０が遮蔽位置にあることを検出し、その検出信号（例えばON信号）を主制御装置８１に出力する。
【００６０】
一方、押圧操作部１５５が押圧され付勢バネ１６０のバネ力に抗して昇降杆１５１が下方にスライドされると、レバーアーム１５７の揺動支点が昇降杆１５１とともに下動し、下端面をアーム係合突起１７２に支持されたレバーアーム１５７はアーム係合突起１７２の外面を滑りながら変位してレバーアーム１５７が反時計廻りに揺動変位する。そしてシャッタ片１５３が球抜き操作孔１３２の下方に待避した連通位置まで移動されると、レバーアーム１５７の先端部が位置検出センサ１７１の検出領域から外れ、位置検出センサ１７１は遮蔽部材１５０が連通位置に切り替えられたことを検出して、その検出信号（例えばOFF信号）を主制御装置８１に出力する。
【００６１】
ここで、アーム係合突起１７２の左右方向の位置は、レバーアーム１５７の揺動支点と位置検出センサ１７１の検出点との間における中央よりも揺動支点側に形成されており、揺動支点が下動したときに、てこの原理によりレバーアーム１５７の先端部が揺動支点の移動量よりも大きな変位量で上方に移動するように構成されている。この拡大率は昇降杆１５１のスライド変位量と位置検出センサ１７１が検知可能な変位量との関係に基づいて設定される。このように、昇降杆１５１のわずかなスライド変位をレバーアーム１５７で大きな揺動角度変位に拡大することで、微少変位を検出する高価な検出センサや高精度の加工部品を用いることなく低廉な構成で昇降杆１５１の高さ位置を確実に検出し、遮蔽部材１５０が連通位置にあるか遮蔽位置にあるかを正確に検出することができる。
【００６２】
位置検出センサ１７１の検出信号は主制御装置８１に入力されており、主制御装置８１は入力された検出信号が連通位置を表す信号（例えばOFF信号）であるときに警報作動を行う。例えば、前枠２に設けられた表示ランプ１６や遊技盤２０に設けられた表示ランプ２６のうち何れかを点灯または点滅作動させ、あるいはスピーカ１３から所定の警報音を発生させ、または外部中継端子基板８５を介して遊技島の報知ランプやホールコンピュータの表示装置に警報を表示させ、若しくはホールコンピュータを介して遊技施設の係員が携帯するインカムに警報信号を送信して通報するような警報作動を行う。
【００６３】
さて、以上説明した球抜き機構１０１および遮蔽機構１０５を備えた球抜き装置１００では、遊技提供状態において遮蔽機構１０５がガラス扉５と前枠２の間に配設され、遮蔽部材のシャッタ片１５３が前後の球抜き操作孔１３１，１３２の間で両操作孔を遮断する遮蔽位置に配設される。さらに球抜き操作孔１３２およびシャッタ片１５３は、昇降杆１５１が支持される前枠前方の支持面よりも一段後方にオフセットされたガラス扉収容部の壁面に形成されている。
【００６４】
このため、不正行為を行おうとする者がガラス扉前面の開口部から球抜き操作孔１３１に針金等を差し込んでも、針金の先端部が遮蔽部材のシャッタ片１５３に突き当たって球抜き機構１０１側に針金を侵入させることができず、また突き当たった位置で針金を屈曲させても、球抜き操作孔１３２の右側方で前方に突出する壁面の存在により遊技盤２０側に侵入させることができない。さらに遮蔽部材１５０を前枠２の後面側に設けた場合には、押圧操作部１５５を前枠２の前面側に導出するための導出部を形成する必要があるが、本構成ではこのように前枠２を前後に挿通する導出部を形成する必要が無いため、導出部の形成による新たな不正行為を引き起こすおそれがない。
【００６５】
一方、遊技機正面の左上部に位置する押圧操作部１５５を付勢バネ１６０のバネ力に抗して下方に押圧して昇降杆１５１を下動させると、シャッタ片１５３が下方に変位して前後の球抜き操作孔１３１，１３２が連通状態に設定される。従って遊技施設の係員は、このように遮蔽部材１５０を連通位置にスライド変位させた状態で球抜き操作孔１３０（１３１，１３２）にハートキー１８０を挿通させることができ、球抜き操作孔１３２の後方に位置整合して配設されたレバー部材１２２の受容凹部１２２ｄにハートキーの先端部を係合させて押圧することで、キー先端部が滑って座屈等を生じることなく球抜き操作を行うことができる。すなわち、遊技施設の係員は球抜き操作を行うにあたって、逐一ガラス扉５や前枠２の閉鎖施錠状態を解除する必要がなく、パチンコ機ＰＭの前面側から球抜き操作を行うことができる。
【００６６】
このような球抜き操作は、パチンコ機ＰＭの前方に立って両手で操作を行う必要があり、周囲の遊技者の視線や防犯用の監視カメラの存在を気にしながら悪戯行為を行う不正行為者に大きな抵抗感を生じさせる。さらに、遮蔽部材１５０が連通位置に配設されると位置検出センサ１７１によりその状態、すなわち球抜き操作され得る状態になったことが検出され、主制御装置８１により前述したような所定の警報作動が行われる。このため、遊技施設の係員や管理者は、当該パチンコ機ＰＭが球抜き操作され得る状態になったことを早期に検知することができ、状況に応じて迅速かつ適切な対応をとることができる。
【００６７】
従って、以上説明したような球抜き装置１００によれば、簡明且つコンパクトな機構構成で、遊技施設の係員が行う球抜き作業の作業性を悪化させることなく、遊技者の悪戯行為に対する抑止力を高めた球抜き装置を提供することができ、また悪戯行為を早期に検知して迅速な対応が可能な小型の球抜き装置を提供することができる。
【００６８】
なお、以上説明した実施形態では、遮蔽部材１５０を上下にスライド変位させることで前後の球抜き操作孔１３１，１３２を遮蔽位置と連通位置とに切り替える形態を例示したが、遮蔽部材の変移形態は上下方向のスライド変位に限るものではなく、例えば、球抜き操作孔に直交する面内での左右方向のスライド変位や上下方向の揺動変位、あるいは球抜き操作孔に直交する軸廻りの回動変位などであってもよい。
【図面の簡単な説明】
【００６９】
【図１】本発明に係る球抜き装置を備えた弾球遊技機の一例として、ガラス扉および上球皿を開放した状態で示すパチンコ機の正面図である。
【図２】上記パチンコ機の背面図である。
【図３】本発明に係る球抜き装置における球抜き機構の要部を示す分解斜視図である。
【図４】閉止位置にある球抜き機構を主として示す右枠杆の背面図である。
【図５】開放位置にある球抜き機構を主として示す右枠杆上部の背面図である。
【図６】図４中のVI−VI矢視方向の側面図（部分断面図）である。
【図７】本発明に係る球抜き装置における遮蔽機構の分解斜視図である。
【図８】連通位置にある遮蔽機構をガラス扉を開放した状態で示す正面図である。
【図９】図８中のIX−IX矢視方向の平断面図である。
【図１０】ハートキーによりレバー部材が揺動変位された状態を示す平断面図である。
【図１１】上記遮蔽機構に設けられた位置検出構造を主として示す平断面図である。
【符号の説明】
【００７０】
ＰＭ  パチンコ機
ＰＡ  遊技領域
１  外枠（１ａ  切り欠き部）
２  前枠（２ａ  収容枠、２ｂ  ガイド突起）
３ａ，３ｂ  ヒンジ機構
４  施錠装置
５  ガラス扉
６  上球皿
７ａ，７ｂ，７ｃ  ヒンジ機構
８  下球皿
９  発射ハンドル
１０  遊技球発射装置
１１  発射レール
１２  ファール球回収通路
１３  スピーカ
１６  表示ランプ
２０  遊技盤
２１  化粧板
２２  案内レール
２３  入賞具
２４  画像表示装置
２５  アウト口
２６  表示ランプ
２９  球寄せカバー
３０  裏セット盤
３１  基枠体（３１ａ  支持面、３１ｂ  補助支持面）
３２  窓口
３３  右枠杆
３４  支持ボス
３５  枢支軸
３６  連繋部材取着部
（３６ａ  取着開口、３６ｂ  ネジ受け座、３６ｃ  支持リブ、３６ｄ  位置決め突起）
４０  球貯留払出機構
４１  球貯留タンク
４２  整列樋部材
４４  待機通路部材（４４ａ，４４ｂ  待機通路、４４Ｌ，４４Ｒ  通路壁）
４５  球払出装置
４６  球払出通路
４９  蓋部材
８１  主制御装置
８２  球払出制御装置
８３  ランプ・音声制御装置
８４  電源ユニット
８５  外部中継端子基板
１００  球抜き装置
１０１  球抜き機構
１０５  遮蔽機構
１１０  開閉弁部材（１１０Ｒ  揺動通路壁）
１１２  支軸孔
１１３  アーム部（１１３ａ  閉止保持係合辺、１１３ｂ  開放保持係合部）
１２０  操作連繋部材
１２１  固定金具
（１２１ｂ  ネジ受容孔、１２１ｃ  切り欠き部、１２１ｄ  突起受容孔、
１２１ｅ  ピン挿通孔、１２１ｆ  ネジ孔）
１２２  レバー部材
（１２２ａ  軸支部、１２２ｂ  レバー部、１２２ｃ  係止アーム部、
１２２ｄ  受容凹部、１２２ｅ  揺動規制片）
１２３  係止突起
１２４  付勢バネ
１２５  枢結ピン
１３０  球抜き操作孔
１３１  ガラス扉に形成された球抜き操作孔
１３２  前枠に形成された球抜き操作孔
１４０  球抜き通路（１４０ａ  予備通路、１４０ｂ  連絡開口）
１５０  遮蔽部材
１５１  昇降杆
１５２  ガイド孔
１５３  シャッタ片
１５４  掛止フック
１５５  押圧操作部
１５６  アーム支持部
１５７  レバーアーム
１５８  捻りバネ
１６０  付勢バネ
１６２  ネジ
１７０  位置検出構造
１７１  位置検出センサ
１７２  アーム係合突起
１８０  ハートキー
【図１】
2005288049.tif 000003
【図２】
2005288049.tif 000004
【図３】
2005288049.tif 000005
【図４】
2005288049.tif 000006
【図５】
2005288049.tif 000007
【図６】
2005288049.tif 000008
【図７】
2005288049.tif 000009
【図８】
2005288049.tif 000010
【図９】
2005288049.tif 000011
【図１０】
2005288049.tif 000012
【図１１】
2005288049.tif 000013